(57)【特許請求の範囲】
【請求項１】
容器本体と、この容器本体の後端部にヒンジ連結される蓋体とを備えたコンパクト容器であって、上記蓋体の下面に、額縁状の鏡枠が収容される凹部が形成され、この凹部に収容される鏡枠が、四角形の鏡の四辺にそれぞれ沿うように取り付けられる４分割状の縁取り部材から構成されているとともに、これら各縁取り部材が上記鏡枠の四隅で分割され、上記各縁取り部材の内側面に、その長手方向に延び上記鏡の周辺部を着脱自在に嵌入する溝部が形成され、上記各縁取り部材の外周に保持用係合部が形成され、上記蓋体の凹部の内周の、上記各保持用係合部に対応する部分に、上記各保持用係合部と係脱自在に係合する鏡枠保持用被係合部が形成され、上記縁取り部材が、隣接する縁取り部材と、これら両部材の端面を突き合わせた状態で直角をなすよう当接し、上記蓋体の凹部の後側面から指先等挿入用の切り欠き部が延設されていることを特徴とするコンパクト容器。
【発明の詳細な説明】
【０００１】
【発明の属する技術分野】
この発明は、容器の蓋体から鏡を取り外すことができるコンパクト容器に関するものである。
【０００２】
【従来の技術】
ファンデーション等の化粧料を収容して携帯するコンパクト容器としては、従来から、図８に示すようなタイプのものが汎用されている。このコンパクト容器は、上面に化粧皿（図示せず）を収容する凹部３０ａが形成された合成樹脂製の容器本体３０の後端部に、同じく合成樹脂製の蓋体３１がヒンジ連結されて構成されている。そして、上記蓋体３１の下面には、化粧する際に顔を映すための鏡３２が貼着されている。また蓋体３１の前端下面には、係合用突出片３３が下向きに形成されており、この突出片３３が、容器本体３０の前端部の係合部３４と係合することにより、蓋体３１の閉蓋状態を保持するようになっている。また、容器本体３０の前端部には切欠部３６が設けられており、この部分に、前後にわずかに回動する操作部３５が取り付けられている。この操作片３５を内側に押し込むことにより、上記突出片３３と係合部３４との係合が外れ、蓋体３１が開くようになっている。
【０００３】
このようなコンパクト容器では、通常、鏡３２は、上記のように蓋体３１の下面にそのまま、あるいは下面に浅い凹部を形成してその凹部内に、接着剤等で一体的に固定されている。これは、コンパクト容器を携帯する際に、振動や落下の外力が加わっても、鏡３２が外れて破損等することがないように考慮したものである。
【０００４】
【発明が解決しようとする課題】
しかしながら、近年、年々増加する廃棄物の処理が社会問題化しており、ごみ排出量の抑制と資源リサイクル促進の必要性が高まっている。このため、ごみの種類によって、分別収集を義務づける自治体も増えている。一方、製造業者にも、容器や包装物等のリサイクルが義務づけられる傾向になってきている。このような社会状況にあって、上記従来のコンパクト容器は、鏡３２が蓋体３１に接着剤等で一体的に固定されていることから、使用しなくなったコンパクト容器を廃棄する際に、ガラス廃棄物である鏡３２と、合成樹脂廃棄物である蓋体３１とを分離することができないため、ごみの分別廃棄に供することができないという問題があった。また、鏡３２が接着されたままのコンパクト容器が廃棄されると、上記鏡３２が割れて破片が散乱し、危険が生じるという問題もあった。
【０００５】
この発明は、このような事情に鑑みなされたもので、コンパクト容器から鏡のみを取り外すことができ、ガラス廃棄物と合成樹脂廃棄物とに分別して廃棄することができるコンパクト容器の提供をその目的とする。
【０００６】
【課題を解決するための手段】
上記の目的を達成するため、この発明のコンパクト容器は、容器本体と、この容器本体の後端部にヒンジ連結される蓋体とを備えたコンパクト容器であって、上記蓋体の下面に、額縁状の鏡枠が収容される凹部が形成され、この凹部に収容される鏡枠が、四角形の鏡の四辺にそれぞれ沿うように取り付けられる４分割状の縁取り部材から構成されているとともに、これら各縁取り部材が上記鏡枠の四隅で分割され、上記各縁取り部材の内側面に、その長手方向に延び上記鏡の周辺部を着脱自在に嵌入する溝部が形成され、上記各縁取り部材の外周に保持用係合部が形成され、上記蓋体の凹部の内周の、上記各保持用係合部に対応する部分に、上記各保持用係合部と係脱自在に係合する鏡枠保持用被係合部が形成され、上記縁取り部材が、隣接する縁取り部材と、これら両部材の端面を突き合わせた状態で直角をなすよう当接し、上記蓋体の凹部の後側面から指先等挿入用の切り欠き部が延設されているという構成をとる。
【０００７】
このように、この発明のコンパクト容器は、容器本体と、この容器本体の後端部にヒンジ連結される蓋体とを備えたコンパクト容器であって、上記蓋体の下面に鏡枠が収容される凹部が形成され、この凹部に収容される鏡枠が、四角形の鏡の四辺にそれぞれ沿うように取り付けられる４分割状の縁取り部材から構成され、上記各縁取り部材の内側面に、長手方向に延び鏡の周辺部を着脱自在に嵌入する溝部が形成され、上記蓋体の凹部の内周に複数の鏡枠保持用被係合部が形成され、上記各縁取り部材からなる鏡枠の外周に上記凹部の鏡枠保持用係合部と係脱自在に係合する保持用係合部が形成されている。このため、使用時には一体であっても、廃棄時には、簡単に蓋体から鏡だけを取り外し、ガラス廃棄物である鏡と、合成樹脂廃棄物である蓋体，容器本体とを分離することができ、ごみの分別収集への対応が容易かつ完全になる。また、資源のリサイクルも容易になって、省資源の観点からも好ましい。そして、分別された鏡は、他のガラス廃棄物とともに慎重に回収されるため、破損等の危険を招くことがない。
【０００８】
しかも、この発明のコンパクト容器は、鏡を容易に取り外すことができるだけでなく、その取り付けも容易であることから、コンパクト容器自体を廃棄する場合に限らず、使用中に鏡が破損したり曇ったりした場合に新しい鏡と交換して使用することもできる。さらに、鏡の交換が容易であるため、あらかじめ凸面鏡や凹面鏡等の複数種類の鏡を準備しておき、必要に応じてそれらを使い分けることも簡単に行えるようになる。また、この発明のコンパクト容器は、鏡枠を、四角形の鏡の四辺にそれぞれ沿うように取り付けられる４分割状の縁取り部材から構成し、溝部に鏡の周辺を着脱自在に取り付けるようにしたことから、各縁取り部材の取り付け取り外しが容易で、組み立て，分解が行いやすい。
【０００９】
【発明の実施の形態】
つぎに、この発明の実施の形態を詳しく説明する。
【００１０】
図１は、この発明の一実施の形態を示すコンパクト容器である。このコンパクト容器は、容器本体１０と、この容器本体１０の後端部にヒンジ連結される蓋体１１とを備えている。また、上記蓋体１１の下面には、鏡枠１２を収容する鏡枠収容凹部１３が形成されている。そして、この鏡枠収容凹部１３内に、ガラス製で四角形の鏡１４が取付けられた鏡枠１２が着脱自在に嵌合するようになっている。
【００１１】
より詳しく説明すると、上記容器本体１０は、合成樹脂製で、平面視において四角形に形成され、上面の後方側に化粧皿（図示せず）を収容する化粧皿収容部１５が形成され、この化粧皿収容部１５の前方側にパフ（図示せず）を収容するパフ収容凹部１５ａが形成されている。また、この容器本体１０の前端部の上側中央には、切り欠き凹部１６が形成され、この切り欠き凹部１６の奥面に、閉蓋保持用突部１７が形成されているとともに、この切り欠き凹部１６内には、操作レバー１８が軸支されている。一方、この容器本体１０の後端部には蓋体１１のヒンジ部１９がヒンジ連結される凹部２０が形成されている。図において、２１は化粧皿収容部１５に収容された化粧皿を取り外す際に細い棒等を挿入する小孔である。また、２５は使用の際に湿ったパフが乾燥しやすいようにするための通気穴である。
【００１２】
上記蓋体１１は、容器本体１０と同じく合成樹脂製で、平面視で四角形に形成され、後端部にヒンジ部１９が垂設されている。また、この蓋体１１の下面前端部には、上記容器本体１０の閉蓋保持用突部１７に係脱自在に係合する閉蓋保持用フック２２が垂設され、これら閉蓋保持用突部１７と閉蓋保持用フック２２が係合することにより、コンパクト容器の閉蓋状態が保持されるようになっている。
【００１３】
この蓋体１１の下面に形成された鏡枠収容凹部１３は、長方形状であり、後側の内側面に、収容された鏡枠１２を取り外す際に指先等を挿入する切り欠き部２３が形成されている。そして、この鏡枠収容凹部１３の開口縁には、その前後左右にそれぞれ２個所づつ、鏡枠１２を保持する鏡枠保持用突部２４が形成されている。
【００１４】
上記鏡枠１２は、長方形の鏡１４の四辺にそれぞれ沿うように取り付けられる４分割状の縁取り部材１ａ，１ｂから構成されている。これら縁取り部材１ａ，１ｂは、鏡１４の上下辺（短辺）に取り付けられる長さの短い一対の第１の縁取り部材１ａと、鏡１４の側辺（長辺）に取り付けられる長さの長い一対の第２の縁取り部材１ｂとからなっている。
【００１５】
上記第１の縁取り部材１ａは、図２〜図４に示すように、その内側面に、鏡１４の周辺部を着脱自在に嵌入する溝部２が形成されている。この溝部２は、縁取り部材１ａの幅方向の略中央に、長手方向に延びるように形成されている。また、上記縁取り部材１ａは、その両端部が内側（溝部２が形成された側）に向かって斜めにカットされている。また、この縁取り部材１ａの外側面（溝部２が形成された面の反対面）の、前側寄り部に、２個の保持用突部６が形成されている。そして、第２の縁取り部材１ｂは、鏡１４の長辺に沿って取り付けられるように、上記第１の縁取り部材１ａよりも長さが長い以外は、第１の縁取り部材１ａと同様の構成である。
【００１６】
上記構成において、この発明のコンパクト容器は、つぎのようにして組み立てることができる。すなわち、まず、鏡１４の外周に、縁取り部材１ａ，１ｂを内側向きに配設し、鏡１４の上下辺部に第１の縁取り部材１ａの溝部２を嵌合し、側辺部に第２の縁取り部材１ｂの溝部２を嵌合する。このように、各縁取り部材１ａ，１ｂを鏡１４に取り付けることにより、図５に示すように、各縁取り部材１ａ，１ｂの斜めにカットされた端面同士が当接して額縁状の鏡枠１２が形成される。そして、これら各縁取り部材１ａ，１ｂからなる鏡枠１２の外周面（左右両側面および上下面）に、８個の保持用突部６が形成される。
【００１７】
ついで、上記鏡枠１２を蓋体１１の鏡枠収容凹部１３の開口部に位置決めし、この鏡枠１２を鏡枠収容凹部１３内に収容するとともに、上記鏡枠収容凹部１３の鏡枠保持用突部２４と鏡枠１２の保持用突部６とを係合させ、図６に示すように、上記鏡枠１２を鏡枠収容凹部１３内に取り付ける。そののち、蓋体１１を前方に回動させて蓋体１１の閉蓋保持用フック２２と、容器本体１０の閉蓋保持用突部１７とを係合させ、図７に示すように、コンパクト容器を閉蓋する。この状態で、鏡枠収容凹部１３内に取付けられた鏡１４の裏面と、鏡枠収容凹部１３の奥面との間に所定隙間９が形成される。
【００１８】
上記コンパクト容器を使用しなくなってゴミとして廃棄する場合には、まず、操作レバー１８を押圧操作することにより、閉蓋保持用突部１７と閉蓋保持用フック２２の係合を解除するとともに、蓋体１１を後方に回動させて開蓋する。ついで、蓋体１１下面の切り欠き部２３に指先を挿入して鏡枠１２の下端に引っ掛け、そのまま鏡枠１２を引き出すようにして鏡枠保持用突部２４と保持用突部６との係合を解除し、鏡枠１２を蓋体１１から取り外す。つぎに、鏡枠１２を構成する各縁取り部材１ａ，１ｂの溝部２に嵌合している鏡１４を取り外すことにより、鏡枠１２を分解するとともに、鏡１４だけを取り外す。そして、容器本体１０，蓋体１１および各縁取り部材１ａ，１ｂを合成樹脂廃棄物として、鏡１４をガラス廃棄物として、分別して廃棄する。
【００１９】
このように、上記コンパクト容器は、蓋体１１下面の鏡枠収容凹部１３に着脱自在に収容される鏡枠１２を、四角形の鏡１４の四辺にそれぞれ沿うように取り付けられる４分割状の縁取り部材１ａ，１ｂから構成し、上記各縁取り部材１ａ，１ｂの内側面に、長手方向に延び鏡１４の外周辺部を着脱自在に嵌入する溝部２を形成し、この溝部２に鏡１４の外周部を着脱自在に嵌入するようにしている。また、上記各縁取り部材１ａ，１ｂからなる鏡枠１２の外周に複数の保持用突部６を形成し、上記蓋体１１の鏡枠収容凹部１３の開口縁に上記保持用突部６と係脱自在に係合する鏡枠保持用突部２４を形成している。これにより、使用しなくなったコンパクト容器を廃棄する際に、蓋体１１から鏡枠１２を取り外し、その鏡枠１２を分解して鏡１４だけを取り外し、ガラス廃棄物である鏡１４と、合成樹脂廃棄物である蓋体１１等とを分離して廃棄することが可能となる。しかも、鏡枠保持用突部２４と保持用突部６との係合により鏡枠１２を保持していることから、落下のショック等によっても鏡１４が不用意に外れることがない。また、上記コンパクト容器は、鏡１４を容易に取り外すことができるだけでなく、その取り付けも容易であることから、コンパクト容器自体を廃棄する場合に限らず、使用中に鏡１４が破損したり曇ったりした場合に新しい鏡１４と交換したり、あらかじめ凸面鏡や凹面鏡等の種類の異なる鏡１４を準備しておき、必要に応じてそれらを使い分けたりすることも行えるようになる。
【００２０】
また、上記コンパクト容器は、鏡枠収容凹部１３に取付けられた鏡１４の裏面と、鏡枠収容凹部１３の奥面との間に所定隙間９が形成されているため、鏡枠１２を取り付ける際に、上記所定隙間９内に化粧用のあぶらとり紙等の薄いシート状のものを収容することができる。このため、あぶらとり紙等を、汚したり破ったりしないように携帯することができる。この場合も、上記あぶらとり紙等を使用する際には、鏡枠１２を鏡枠収容凹部１３から取り外してあぶらとり紙等を取り出し、使用後には上記鏡枠１２をもと通りに鏡枠収容凹部１３内に取り付けることができる。また、上記所定隙間９は、蓋体１１の上面への衝撃から鏡１４を保護する保護用の空間としての作用も示し、鏡１４が割れ難くなるという効果も奏する。
【００２１】
【発明の効果】
以上のように、この発明のコンパクト容器は、使用時には一体であっても、廃棄時には、簡単に蓋体から鏡だけを取り外し、ガラス廃棄物である鏡と、合成樹脂廃棄物である蓋体，容器本体とを分離することができ、ごみの分別収集への対応が容易かつ完全になる。また、資源のリサイクルも容易になって、省資源の観点からも好ましい。そして、分別された鏡は、他のガラス廃棄物とともに慎重に回収されるため、破損等の危険を招くことがない。
【００２２】
しかも、上記コンパクト容器は、鏡を容易に取り外すことができるだけでなく、その取り付けも容易であることから、コンパクト容器自体を廃棄する場合に限らず、使用中に鏡が破損したり曇ったりした場合に新しい鏡と交換して使用することもできる。さらに、鏡の交換が容易であるため、あらかじめ凸面鏡や凹面鏡等の複数種類の鏡を準備しておき、必要に応じてそれらを使い分けることも簡単に行えるようになる。また、この発明のコンパクト容器は、鏡枠を、四角形の鏡の四辺にそれぞれ沿うように取り付けられる４分割状の縁取り部材から構成し、溝部に鏡の周辺を着脱自在に取り付けるようにしたことから、各縁取り部材の取り付け取り外しが容易で、組み立て，分解が行いやすい。
【図面の簡単な説明】
【図１】この発明の一実施の形態を示すコンパクト容器を示す分解斜視図である。
【図２】第１の縁取り部材を示す正面図である。
【図３】上記第１の縁取り部材を示す底面図である。
【図４】上記第１の縁取り部材を示す側面図である。
【図５】鏡枠と鏡を組み立てた状態を示す正面図である。
【図６】鏡枠を鏡枠収容凹部に収容した状態を示す斜視図である。
【図７】上記コンパクト容器を示す断面図である。
【図８】従来のコンパクト容器を示す斜視図である。
【符号の説明】
１ａ，１ｂ  縁取り部材
２  溝部
６  保持用突部
１０  容器本体
１１  蓋体
１２  鏡枠
１３  鏡枠収容凹部
１４  鏡
２４  鏡枠保持用突部
【図１】
0003853876.tif 000002
【図２】
0003853876.tif 000003
【図３】
0003853876.tif 000004
【図４】
0003853876.tif 000005
【図５】
0003853876.tif 000006
【図６】
0003853876.tif 000007
【図７】
0003853876.tif 000008
【図８】
0003853876.tif 000009